(57)【要約】【課題】  充分な強度を有する組立式ハウスを提供する。  【解決手段】  組立式ハウス１は、段ボール又は厚紙からなる壁部材１０，２０，３０，４０を備えている。壁部材２０の側端部２０ａは、壁部材１０の側端部１０ｂに固定される。壁部材３０の側端部３０ａは、壁部材２０の側端部２０ｂに固定される。壁部材４０の側端部４０ａ及び側端部４０ｂは、それぞれ、壁部材３０の側端部３０ｂ及び壁部材１０の側端部１０ａに固定される。壁部材１０は、折込線Ｌ１１ａ〜Ｌ１４ａに沿って折り込まれることにより、側端部１０ａが四角柱状になるように構成されている。【選択図】  図１
2015055136.tif 000002
【特許請求の範囲】
【請求項１】
段ボール又は厚紙からなる第１乃至第４の板状部材を備え、
前記第１の板状部材は、第１の側端部に複数の折込線を有し、当該折込線に沿って折り込まれることにより当該第１の側端部がｎ角柱（ｎは３以上の整数）状になるように構成されており、
前記第２の板状部材は、第１の側端部が前記第１の板状部材の第２の側端部に固定されるように構成されており、
前記第３の板状部材は、第１の側端部が前記第２の板状部材の第２の側端部に固定されるように構成されており、
前記第４の板状部材は、第１の側端部が前記第３の板状部材の第２の側端部に固定されるとともに、第２の側端部が前記第１の板状部材の前記第１の側端部に固定されるように構成されていることを特徴とする組立式ハウス。
【請求項２】
請求項１に記載の組立式ハウスにおいて、
前記第１の板状部材は、前記第２の側端部に複数の折込線を有し、当該折込線に沿って折り込まれることにより当該第２の側端部がｎ角柱状になるように構成されている組立式ハウス。
【請求項３】
請求項１又は２に記載の組立式ハウスにおいて、
前記第３の板状部材は、前記第１の側端部に複数の折込線を有し、当該折込線に沿って折り込まれることにより当該第１の側端部がｎ角柱状になるように構成されている組立式ハウス。
【請求項４】
請求項１乃至３の何れかに記載の組立式ハウスにおいて、
前記第３の板状部材は、前記第２の側端部に複数の折込線を有し、当該折込線に沿って折り込まれることにより当該第２の側端部がｎ角柱状になるように構成されている組立式ハウス。
【請求項５】
請求項１乃至４の何れかに記載の組立式ハウスにおいて、
前記第２の板状部材は、互いに連結可能な２枚の板状副部材によって構成されており、
前記第４の板状部材は、互いに連結可能な２枚の板状副部材によって構成されている組立式ハウス。
【請求項６】
請求項５に記載の組立式ハウスにおいて、
前記第２の板状部材を構成する前記２枚の板状副部材の少なくとも一方は、他方の前記板状副部材に連結される側端部に複数の折込線を有し、当該折込線に沿って折り込まれることにより当該側端部がｎ角柱状になるように構成されている組立式ハウス。
【請求項７】
請求項５又は６に記載の組立式ハウスにおいて、
前記第４の板状部材を構成する前記２枚の板状副部材の少なくとも一方は、他方の前記板状副部材に連結される側端部に複数の折込線を有し、当該折込線に沿って折り込まれることにより当該側端部がｎ角柱状になるように構成されている組立式ハウス。
【請求項８】
請求項１乃至７の何れかに記載の組立式ハウスにおいて、
段ボール又は厚紙からなり、前記第１乃至第４の板状部材によって囲まれる空間を上方から覆う第５の板状部材を備える組立式ハウス。
【請求項９】
請求項８に記載の組立式ハウスにおいて、
前記第５の板状部材は、複数の折込線を有し、当該折込線に沿って折り込まれることにより下方が開放した箱型形状になるように構成されている組立式ハウス。
【請求項１０】
請求項１乃至９の何れかに記載の組立式ハウスにおいて、
前記第２の板状部材は、前記第１の側端部が前記第１の板状部材の前記第２の側端部に固定されており、
前記第３の板状部材は、前記第１の側端部が前記第２の板状部材の前記第２の側端部に固定されており、
前記第４の板状部材は、前記第１の側端部が前記第３の板状部材の前記第２の側端部に固定されるとともに、前記第２の側端部が前記第１の板状部材の前記第１の側端部に固定されており、
前記第１乃至第４の板状部材によって囲まれた空間を有する組立式ハウス。
【発明の詳細な説明】
【技術分野】
【０００１】
本発明は、紙製の組立式ハウスに関する。
【背景技術】
【０００２】
地震等の災害時には、多数の被災者が１つの避難所において共同生活を余儀なくされることがある。そのような避難所においては、被災者の心理的負担を少しでも和らげるべく、各被災者のプライベート空間を確保することが求められる。かかるプライベート空間を確保する手段としては、例えば特許文献１に記載されたものがある。同文献には、１枚の段ボールを折り曲げることにより、各被災者のスペースを仕切るための間仕切りを作ることが記載されている。
【先行技術文献】
【特許文献】
【０００３】
【特許文献１】特開２０１０−２５５２３８号公報
【発明の概要】
【発明が解決しようとする課題】
【０００４】
特許文献１の間仕切りによれば、最低限のプライベート空間を確保し、それにより被災者の心理的負担をある程度は和らげることができる。しかしながら、この間仕切りは、段ボール製であるため、強度の面で不安が残る。かかる強度面の不安は、被災者の心理的負担の増大につながってしまう。
【０００５】
本発明は、上記課題に鑑みてなされたものであり、充分な強度を有する組立式ハウスを提供することを目的とする。
【課題を解決するための手段】
【０００６】
本発明による組立式ハウスは、段ボール又は厚紙からなる第１乃至第４の板状部材を備え、上記第１の板状部材は、第１の側端部に複数の折込線を有し、当該折込線に沿って折り込まれることにより当該第１の側端部がｎ角柱（ｎは３以上の整数）状になるように構成されており、上記第２の板状部材は、第１の側端部が上記第１の板状部材の第２の側端部に固定されるように構成されており、上記第３の板状部材は、第１の側端部が上記第２の板状部材の第２の側端部に固定されるように構成されており、上記第４の板状部材は、第１の側端部が上記第３の板状部材の第２の側端部に固定されるとともに、第２の側端部が上記第１の板状部材の上記第１の側端部に固定されるように構成されていることを特徴とする。
【０００７】
この組立式ハウスにおいては、第２の板状部材の第１の側端部を第１の板状部材の第２の側端部に固定し、第３の板状部材の第１の側端部を第２の板状部材の第２の側端部に固定し、第４の板状部材の第１の側端部を第３の板状部材の第２の側端部に固定するとともに、第４の板状部材の第２の側端部を第１の板状部材の第１の側端部に固定することにより、第１乃至第４の板状部材によって囲まれた空間が生成される。これにより、充分なプライベート空間を確保することができる。さらに、第１の板状部材の第１の側端部を折込線に沿って折り込むことにより、当該第１の側端部をｎ角柱状にすることができる。かかる側端部は、支柱として機能し、組立後の組立式ハウスの強度を高める。
【発明の効果】
【０００８】
本発明によれば、充分な強度を有する組立式ハウスが実現される。
【図面の簡単な説明】
【０００９】
【図１】本発明による組立式ハウスの第１実施形態を示す斜視図である。
【図２】図１の組立式ハウスを示す平面図である。
【図３】図１の壁部材１０を示す平面図である。
【図４】図１の壁部材２０を示す平面図である。
【図５】図１の壁部材３０を示す平面図である。
【図６】図１の壁部材４０を示す平面図である。
【図７】図１の屋根部材５０を示す平面図である。
【図８】本発明による組立式ハウスの第２実施形態を示す斜視図である。
【図９】図８の組立式ハウスを示す平面図である。
【図１０】図８の壁部材６１０を示す平面図である。
【図１１】図８の壁部材６２０を示す平面図である。
【図１２】図８の壁部材７１０を示す平面図である。
【図１３】図８の壁部材７２０を示す平面図である。
【図１４】本発明の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による組立式ハウスの第１実施形態を示す斜視図である。また、図２は、図１の組立式ハウスを示す平面図である。組立式ハウス１は、壁部材１０（第１の板状部材）、壁部材２０（第２の板状部材）、壁部材３０（第３の板状部材）、及び壁部材４０（第４の板状部材）を備えており、これらの壁部材１０，２０，３０，４０によって囲まれた空間Ｓ１を有する。空間Ｓ１の大きさは、例えば、幅（壁部材２０と壁部材４０との間隔）が１ｍ程度、奥行（壁部材１０と壁部材３０との間隔）が１．３ｍ程度、高さが２ｍ程度である。かかる組立式ハウス１は、例えば、避難所において、被災者が用を足す際の囲いとして用いることができる。各壁部材１０，２０，３０，４０は、段ボール又は厚紙からなる。
【００１２】
さらに、組立式ハウス１は、空間Ｓ１を上方から覆う屋根部材５０（第５の板状部材）を備えている。屋根部材５０も、段ボール又は厚紙からなる。
【００１３】
壁部材２０は、側端部２０ａ（第１の側端部）が壁部材１０の側端部１０ｂ（第２の側端部）に固定されるように構成されている。壁部材３０は、側端部３０ａ（第１の側端部）が壁部材２０の側端部２０ｂ（第２の側端部）に固定されるように構成されている。また、壁部材４０は、側端部４０ａ（第１の側端部）が壁部材３０の側端部３０ｂ（第２の側端部）に固定されるとともに、側端部４０ｂ（第２の側端部）が壁部材１０の側端部１０ａ（第１の側端部）に固定されるように構成されている。
【００１４】
図３は、壁部材１０を示す平面図である。壁部材１０は、１枚の段ボール又は厚紙からなり、左右対称の構造をしている。壁部材１０の側端部１０ａには、４本の折込線Ｌ１１ａ〜Ｌ１４ａが形成されている。壁部材１０は、これらの折込線Ｌ１１ａ〜Ｌ１４ａに沿って折り込まれることにより、側端部１０ａが四角柱状になるように構成されている。具体的には、各折込線Ｌ１１ａ〜Ｌ１４ａに沿って略直角に山折りすることにより、四角柱状の側端部１０ａが形成される（図１及び図２参照）。
【００１５】
さらに、側端部１０ａには、切込線Ｃ１１ａ，Ｃ１２ａが形成されている。切込線Ｃ１１ａは、折込線Ｌ１１ａと壁部材１０の外周との間に形成されている。切込線Ｃ１２ａは、折込線Ｌ１１ａと折込線Ｌ１２ａとの間に形成されている。また、側端部１０ａには、孔部１８ａが形成されている。ここで、折込線Ｌ１１ａと折込線Ｌ１２ａとの間隔は、折込線Ｌ１３ａと折込線Ｌ１４ａとの間隔に略等しい。同様に、折込線Ｌ１２ａと折込線Ｌ１３ａとの間隔は、折込線Ｌ１４ａと孔部１８ａとの間隔に略等しい。
【００１６】
切込線Ｃ１１ａ，Ｃ１２ａに沿って切込みを入れた状態で、折込線Ｌ１１ａ〜Ｌ１４ａに沿って側端部１０ａを折り込むことにより、爪部１４ａ，１６ａが形成される。組立時、爪部１４ａは、後述する壁部材４０の爪部４４ｂと共に、孔部１８ａに挿入される（図１参照）。また、爪部１６ａは、後述する壁部材４０の孔部４８ｂに挿入される。これにより、組立後の組立式ハウス１において、側端部１０ａの四角柱形状が維持されるとともに、壁部材１０の側端部１０ａと壁部材４０の側端部４０ｂとが互いに固定される。
【００１７】
壁部材１０の側端部１０ｂには、折込線Ｌ１１ｂ〜Ｌ１４ｂが形成されている。壁部材１０は、これらの折込線Ｌ１１ｂ〜Ｌ１４ｂに沿って折り込まれることにより、側端部１０ｂが四角柱状になるように構成されている。具体的には、各折込線Ｌ１１ｂ〜Ｌ１４ｂに沿って略直角に山折りすることにより、四角柱状の側端部１０ｂが形成される（図１及び図２参照）。
【００１８】
さらに、側端部１０ｂには、切込線Ｃ１１ｂ，Ｃ１２ｂが形成されている。切込線Ｃ１１ｂは、折込線Ｌ１１ｂと壁部材１０の外周との間に形成されている。切込線Ｃ１２ｂは、折込線Ｌ１１ｂと折込線Ｌ１２ｂとの間に形成されている。また、側端部１０ｂには、孔部１８ｂが形成されている。ここで、折込線Ｌ１１ｂと折込線Ｌ１２ｂとの間隔は、折込線Ｌ１３ｂと折込線Ｌ１４ｂとの間隔に略等しい。同様に、折込線Ｌ１２ｂと折込線Ｌ１３ｂとの間隔は、折込線Ｌ１４ｂと孔部１８ｂとの間隔に略等しい。
【００１９】
切込線Ｃ１１ｂ，Ｃ１２ｂに沿って切込みを入れた状態で、折込線Ｌ１１ｂ〜Ｌ１４ｂに沿って側端部１０ｂを折り込むことにより、爪部１４ｂ，１６ｂが形成される。組立時、爪部１４ｂは、後述する壁部材２０の爪部２４ａと共に、孔部１８ｂに挿入される（図１参照）。また、爪部１６ｂは、後述する壁部材２０の孔部２８ａに挿入される。これにより、組立後の組立式ハウス１において、側端部１０ｂの四角柱形状が維持されるとともに、壁部材１０の側端部１０ｂと壁部材２０の側端部２０ａとが互いに固定される。
【００２０】
壁部材１０の中央部には、折込線Ｌ１５及び切込線Ｃ１３が形成されている。切込線Ｃ１３に沿って切込みを入れることにより、扉１２が得られる。折込線Ｌ１５に沿って折り込むことにより、扉１２を開けて、空間Ｓ１（図１参照）に出入りすることができる。
【００２１】
図４は、壁部材２０を示す平面図である。壁部材２０は、１枚の段ボール又は厚紙からなり、左右対称の構造をしている。壁部材２０の側端部２０ａには、爪部２４ａ及び孔部２８ａが形成されている。爪部２４ａは、壁部材２０の外周から突き出るように形成されている。孔部２８ａと壁部材２０の外周との間隔ｄ２１は、壁部材１０における折込線Ｌ１１ｂと折込線Ｌ１２ｂとの間隔に略等しい。組立時、爪部２４ａは、壁部材１０の孔部１８ｂに挿入される。また、孔部２８ａには、壁部材１０の爪部１６ｂが挿入される。
【００２２】
壁部材２０の側端部２０ｂには、爪部２４ｂ及び孔部２８ｂが形成されている。爪部２４ｂは、壁部材２０の外周から突き出るように形成されている。孔部２８ｂと壁部材２０の外周との間隔ｄ２２は、後述する壁部材３０における折込線Ｌ３１ａと折込線Ｌ３２ａとの間隔に略等しい。組立時、爪部２４ｂは、後述する壁部材３０の孔部３８ａに挿入される。また、孔部２８ｂには、後述する壁部材３０の爪部３６ａが挿入される。
【００２３】
図５は、壁部材３０を示す平面図である。壁部材３０は、１枚の段ボール又は厚紙からなり、左右対称の構造をしている。壁部材３０の構造は、折込線Ｌ１５及び切込線Ｃ１３が形成されていない点を除いて、壁部材１０の構造と同様である。すなわち、壁部材３０の側端部３０ａには、４本の折込線Ｌ３１ａ〜Ｌ３４ａが形成されている。壁部材３０は、これらの折込線Ｌ３１ａ〜Ｌ３４ａに沿って折り込まれることにより、側端部３０ａが四角柱状になるように構成されている。具体的には、各折込線Ｌ３１ａ〜Ｌ３４ａに沿って略直角に山折りすることにより、四角柱状の側端部３０ａが形成される（図１及び図２参照）。
【００２４】
さらに、側端部３０ａには、切込線Ｃ３１ａ，Ｃ３２ａが形成されている。切込線Ｃ３１ａは、折込線Ｌ３１ａと壁部材３０の外周との間に形成されている。切込線Ｃ３２ａは、折込線Ｌ３１ａと折込線Ｌ３２ａとの間に形成されている。また、側端部３０ａには、孔部３８ａが形成されている。ここで、折込線Ｌ３１ａと折込線Ｌ３２ａとの間隔は、折込線Ｌ３３ａと折込線Ｌ３４ａとの間隔に略等しい。同様に、折込線Ｌ３２ａと折込線Ｌ３３ａとの間隔は、折込線Ｌ３４ａと孔部３８ａとの間隔に略等しい。
【００２５】
切込線Ｃ３１ａ，Ｃ３２ａに沿って切込みを入れた状態で、折込線Ｌ３１ａ〜Ｌ３４ａに沿って側端部３０ａを折り込むことにより、爪部３４ａ，３６ａが形成される。組立時、爪部３４ａは、壁部材２０の爪部２４ｂと共に、孔部３８ａに挿入される。また、爪部３６ａは、壁部材２０の孔部２８ｂに挿入される。これにより、組立後の組立式ハウス１において、側端部３０ａの四角柱形状が維持されるとともに、壁部材３０の側端部３０ａと壁部材２０の側端部２０ｂとが互いに固定される。
【００２６】
壁部材３０の側端部３０ｂには、折込線Ｌ３１ｂ〜Ｌ３４ｂが形成されている。壁部材３０は、これらの折込線Ｌ３１ｂ〜Ｌ３４ｂに沿って折り込まれることにより、側端部３０ｂが四角柱状になるように構成されている。具体的には、各折込線Ｌ３１ｂ〜Ｌ３４ｂに沿って略直角に山折りすることにより、四角柱状の側端部３０ｂが形成される（図１及び図２参照）。
【００２７】
さらに、側端部３０ｂには、切込線Ｃ３１ｂ，Ｃ３２ｂが形成されている。切込線Ｃ３１ｂは、折込線Ｌ３１ｂと壁部材３０の外周との間に形成されている。切込線Ｃ３２ｂは、折込線Ｌ３１ｂと折込線Ｌ３２ｂとの間に形成されている。また、側端部３０ｂには、孔部３８ｂが形成されている。ここで、折込線Ｌ３１ｂと折込線Ｌ３２ｂとの間隔は、折込線Ｌ３３ｂと折込線Ｌ３４ｂとの間隔に略等しい。同様に、折込線Ｌ３２ｂと折込線Ｌ３３ｂとの間隔は、折込線Ｌ３４ｂと孔部３８ｂとの間隔に略等しい。
【００２８】
切込線Ｃ３１ｂ，Ｃ３２ｂに沿って切込みを入れた状態で、折込線Ｌ３１ｂ〜Ｌ３４ｂに沿って側端部３０ｂを折り込むことにより、爪部３４ｂ，３６ｂが形成される。組立時、爪部３４ｂは、後述する壁部材４０の爪部４４ａと共に、孔部３８ｂに挿入される。また、爪部３６ｂは、後述する壁部材４０の孔部４８ａに挿入される。これにより、組立後の組立式ハウス１において、側端部３０ｂの四角柱形状が維持されるとともに、壁部材３０の側端部３０ｂと壁部材４０の側端部４０ａとが互いに固定される。
【００２９】
図６は、壁部材４０を示す平面図である。壁部材４０は、１枚の段ボール又は厚紙からなり、左右対称の構造をしている。壁部材４０の構造は、壁部材２０の構造と同様である。すなわち、壁部材４０の側端部４０ａには、爪部４４ａ及び孔部４８ａが形成されている。爪部４４ａは、壁部材４０の外周から突き出るように形成されている。孔部４８ａと壁部材４０の外周との間隔ｄ４１は、壁部材３０における折込線Ｌ３１ｂと折込線Ｌ３２ｂとの間隔に略等しい。組立時、爪部４４ａは、壁部材３０の孔部３８ｂに挿入される。また、孔部４８ａには、壁部材３０の爪部３６ｂが挿入される。
【００３０】
壁部材４０の側端部４０ｂには、爪部４４ｂ及び孔部４８ｂが形成されている。爪部４４ｂは、壁部材４０の外周から突き出るように形成されている。孔部４８ｂと壁部材４０の外周との間隔ｄ４２は、壁部材１０における折込線Ｌ１１ａと折込線Ｌ１２ａとの間隔に略等しい。組立時、爪部４４ｂは、壁部材１０の孔部１８ａに挿入される。また、孔部４８ｂには、壁部材１０の爪部１６ａが挿入される。
【００３１】
図７は、屋根部材５０を示す平面図である。屋根部材５０には、折込線Ｌ５１〜Ｌ５４が形成されている。折込線Ｌ５１，５３の長さは、空間Ｓ１（図１参照）の幅に略等しい。また、折込線Ｌ５２，５４の長さは、空間Ｓ１の奥行に略等しい。
【００３２】
折込線Ｌ５１の外側の部分５０ａは、台形状をしている。部分５０ａにおける折込線Ｌ５１に対向する辺には、切込５２ａ，５２ｂが形成されている。切込５２ａは折込線Ｌ５４の延長線上に位置し、切込５２ｂは折込線Ｌ５２の延長線上に位置している。切込５２ａの切込口から部分５０ａの端までの距離ｄ５１は、壁部材１０における折込線Ｌ１２ａと折込線Ｌ１３ａとの間隔に略等しい。同様に、切込５２ｂの切込口から部分５０ａの端までの距離ｄ５２は、壁部材１０における折込線Ｌ１２ｂと折込線Ｌ１３ｂとの間隔に略等しい。
【００３３】
折込線Ｌ５３の外側の部分５０ｃも、台形状をしている。部分５０ｃにおける折込線Ｌ５３に対向する辺には、切込５２ｃ，５２ｄが形成されている。切込５２ｃは折込線Ｌ５２の延長線上に位置し、切込５２ｄは折込線Ｌ５４の延長線上に位置している。切込５２ｃの切込口から部分５０ｃの端までの距離ｄ５３は、壁部材３０における折込線Ｌ３２ａと折込線Ｌ３３ａとの間隔に略等しい。同様に、切込５２ｄの切込口から部分５０ｃの端までの距離ｄ５４は、壁部材３０における折込線Ｌ３２ｂと折込線Ｌ３３ｂとの間隔に略等しい。
【００３４】
折込線Ｌ５２の外側の部分５０ｂ、及び折込線Ｌ５４の外側の部分５０ｄは、何れも長方形状をしている。
【００３５】
切込５２ａ，５２ｂ，５２ｃ，５２ｄに沿って切込みを入れるとともに、折込線Ｌ５１〜Ｌ５４に沿って屋根部材５０を折り込むことにより、図１に示すように、下方が開放した箱型形状の屋根部材５０が得られる。屋根部材５０の切込５２ａは、側端部４０ｂと側端部１０ａとの結合部分に係合される。切込５２ｂは、側端部１０ｂと側端部２０ａとの結合部分に係合される。切込５２ｃは、側端部２０ｂと側端部３０ａとの結合部分に係合される。また、切込５２ｄは、側端部３０ｂと側端部４０ａとの結合部分に係合される。これにより、屋根部材５０は、壁部材１０，２０，３０，４０に固定される。
【００３６】
組立式ハウス１の効果を説明する。組立式ハウス１においては、壁部材２０の側端部２０ａを壁部材１０の側端部１０ｂに固定し、壁部材３０の側端部３０ａを壁部材２０の側端部２０ｂに固定し、壁部材４０の側端部４０ａを壁部材３０の側端部３０ｂに固定するとともに、壁部材４０の側端部４０ｂを壁部材１０の側端部１０ａに固定することにより、壁部材１０，２０，３０，４０によって囲まれた空間Ｓ１が生成される。組立式ハウス１によれば、このように四方が囲まれた空間Ｓ１が得られるため、充分なプライベート空間を確保することができる。これにより、組立式ハウス１のユーザのプライバシーを充分に保護することができる。
【００３７】
また、本実施形態においては、屋根部材５０により空間Ｓ１の上部も覆われる。これにより、組立式ハウス１のユーザのプライバシーをより厚く保護することができる。
【００３８】
さらに、壁部材１０の側端部１０ａを折込線Ｌ１１ａ〜Ｌ１４ａに沿って折り込むことにより、四角柱状にすることができる。かかる側端部１０ａは、支柱として機能し、組立後の組立式ハウス１の強度を高める。したがって、充分な強度を有する組立式ハウス１が実現されている。
【００３９】
本実施形態においては、壁部材１０の側端部１０ｂも、折込線Ｌ１１ｂ〜Ｌ１４ｂに沿って折り込むことにより、四角柱状にすることができる。これにより、組立式ハウス１の強度が一層高められる。同様に、壁部材３０の側端部３０ａは折込線Ｌ３１ａ〜Ｌ３４ａに沿って折り込むことにより、側端部３０ｂは折込線Ｌ３１ｂ〜Ｌ３４ｂに沿って折り込むことにより、それぞれ四角柱状にすることができる。これらの側端部３０ａ，３０ｂも、組立式ハウス１の強度の向上に資する。
【００４０】
壁部材１０，２０，３０，４０及び屋根部材５０は、段ボール又は厚紙からなる。このため、組立式ハウス１は、容易に廃棄することが可能である。また、段ボールや厚紙は比較的軽量であるため、組立の前後を通じて、組立式ハウス１の運搬・移動が容易となる。特に、壁部材１０，２０，３０，４０及び屋根部材５０が段ボールからなる場合、消臭効果及び防音効果に優れた組立式ハウス１が実現される。
【００４１】
さらに、組立前、壁部材１０，２０，３０，４０及び屋根部材５０は、１枚の平坦な段ボール又は厚紙からなる。このため、組立前の組立式ハウス１の保管に必要なスペースを節約することができる。
【００４２】
組立式ハウス１は、各壁部材１０，２０，３０，４０及び屋根部材５０を折込線に沿って折り込むとともに、切込線に沿って切り込むことにより、組み立てられるように構成されている。このため、組立てが容易な組立式ハウス１が実現されている。
（第２実施形態）
【００４３】
図８は、本発明による組立式ハウスの第２実施形態を示す斜視図である。また、図９は、図８の組立式ハウスを示す平面図である。組立式ハウス２は、壁部材１０（第１の板状部材）、壁部材６０（第２の板状部材）、壁部材３０（第３の板状部材）、及び壁部材７０（第４の板状部材）を備えており、これらの壁部材１０，６０，３０，７０によって囲まれた空間Ｓ２を有する。空間Ｓ２の大きさは、例えば、幅（壁部材６０と壁部材７０との間隔）が１ｍ程度、奥行（壁部材１０と壁部材３０との間隔）が２．４ｍ程度、高さが２ｍ程度である。かかる組立式ハウス２は、例えば、避難所において、被災者が寝る際の囲いとして用いることができる。壁部材１０，３０の構造は、組立式ハウス１について説明したとおりである。各壁部材６０，７０は、段ボール又は厚紙からなる。
【００４４】
壁部材６０は、互いに連結可能な２枚の壁部材６１０，６２０（板状副部材）によって構成されている。これらの壁部材６１０，６２０は、段ボール又は厚紙からなる。
【００４５】
図１０は、壁部材６１０を示す平面図である。壁部材６１０は、１枚の段ボール又は厚紙からなる。壁部材６１０の構造は、壁部材２０及び壁部材４０の構造と同様である。すなわち、壁部材６１０の側端部６１０ａには、爪部６１４ａ及び孔部６１８ａが形成されている。爪部６１４ａは、壁部材６１０の外周から突き出るように形成されている。孔部６１８ａと壁部材６１０の外周との間隔ｄ６１１は、壁部材１０における折込線Ｌ１１ｂと折込線Ｌ１２ｂとの間隔に略等しい。組立時、爪部６１４ａは、壁部材１０の孔部１８ｂに挿入される。また、孔部６１８ａには、壁部材１０の爪部１６ｂが挿入される。
【００４６】
壁部材６１０の側端部６１０ｂには、爪部６１４ｂ及び孔部６１８ｂが形成されている。爪部６１４ｂは、壁部材６１０の外周から突き出るように形成されている。孔部６１８ｂと壁部材６１０の外周との間隔ｄ６１２は、壁部材３０における折込線Ｌ３１ａと折込線Ｌ３２ａとの間隔に略等しい。組立時、孔部６１８ｂには、後述する壁部材６２０の爪部６２４ａが挿入される。
【００４７】
図１１は、壁部材６２０を示す平面図である。壁部材６２０は、１枚の段ボール又は厚紙からなる。壁部材６２０の側端部６２０ａには、４本の折込線Ｌ６２１〜Ｌ６２４が形成されている。壁部材６２０は、これらの折込線Ｌ６２１〜Ｌ６２４に沿って折り込まれることにより、側端部６２０ａが四角柱状になるように構成されている。具体的には、各折込線Ｌ６２１〜Ｌ６２４に沿って略直角に谷折りすることにより、四角柱状の側端部６２０ａが形成される（図８及び図９参照）。
【００４８】
さらに、側端部６２０ａには、切込線Ｃ６２１が形成されている。切込線Ｃ６２１は、折込線Ｌ６２１と壁部材６２０の外周との間に形成されている。また、側端部６２０ａには、孔部６２８ａが形成されている。ここで、折込線Ｌ６２１と折込線Ｌ６２２との間隔は、折込線Ｌ６２３と折込線Ｌ６２４との間隔に略等しい。同様に、折込線Ｌ６２２と折込線Ｌ６２３との間隔は、折込線Ｌ６２４と孔部６２８ａとの間隔に略等しい。
【００４９】
切込線Ｃ６２１に沿って切込みを入れた状態で、折込線Ｌ６２１〜Ｌ６２４に沿って側端部６２０ａを折り込むことにより、爪部６２４ａが形成される。組立時、爪部６２４ａは、孔部６２８ａ、及び壁部材６１０の孔部６１８ｂに挿入される。これにより、組立後の組立式ハウス２において、側端部６２０ａの四角柱形状が維持されるとともに、壁部材６１０の側端部６１０ｂと壁部材６２０の側端部６２０ａとが互いに連結される。
【００５０】
壁部材６２０の側端部６２０ｂには、爪部６２４ｂ及び孔部６２８ｂが形成されている。爪部６２４ｂは、壁部材６２０の外周から突き出るように形成されている。孔部６２８ｂと壁部材６２０の外周との間隔ｄ６２２は、壁部材３０における折込線Ｌ３１ａと折込線Ｌ３２ａとの間隔に略等しい。組立時、爪部６２４ｂは、壁部材３０の孔部３８ａに挿入される。また、孔部６２８ｂには、壁部材３０の爪部３６ａが挿入される。
【００５１】
図８に戻って、壁部材７０は、互いに連結可能な２枚の壁部材７１０，７２０（板状副部材）によって構成されている。これらの壁部材７１０，７２０は、段ボール又は厚紙からなる。
【００５２】
図１２は、壁部材７１０を示す平面図である。壁部材７１０は、１枚の段ボール又は厚紙からなる。壁部材７１０の構造は、壁部材２０及び壁部材４０の構造と同様である。すなわち、壁部材７１０の側端部７１０ａには、爪部７１４ａ及び孔部７１８ａが形成されている。爪部７１４ａは、壁部材７１０の外周から突き出るように形成されている。孔部７１８ａと壁部材７１０の外周との間隔ｄ７１１は、壁部材３０における折込線Ｌ３１ｂと折込線Ｌ３２ｂとの間隔に略等しい。組立時、孔部７１８ａには、後述する壁部材７２０の爪部７２４ｂが挿入される。
【００５３】
壁部材７１０の側端部７１０ｂには、爪部７１４ｂ及び孔部７１８ｂが形成されている。爪部７１４ｂは、壁部材７１０の外周から突き出るように形成されている。孔部７１８ｂと壁部材７１０の外周との間隔ｄ７１２は、壁部材１０における折込線Ｌ１１ａと折込線Ｌ１２ａとの間隔に略等しい。組立時、爪部７１４ｂは、壁部材１０の孔部１８ａに挿入される。また、孔部７１８ｂには、壁部材１０の爪部１６ａが挿入される。
【００５４】
図１３は、壁部材７２０を示す平面図である。壁部材７２０は、１枚の段ボール又は厚紙からなる。壁部材７２０の側端部７２０ａには、爪部７２４ａ及び孔部７２８ａが形成されている。爪部７２４ａは、壁部材７２０の外周から突き出るように形成されている。孔部７２８ａと壁部材７２０の外周との間隔ｄ７２１は、壁部材３０における折込線Ｌ３１ｂと折込線Ｌ３２ｂとの間隔に略等しい。組立時、爪部７２４ａは、壁部材３０の孔部３８ｂに挿入される。また、孔部７２８ａには、壁部材３０の爪部３６ｂが挿入される。
【００５５】
壁部材７２０の側端部７２０ｂには、４本の折込線Ｌ７２１〜Ｌ７２４が形成されている。壁部材７２０は、これらの折込線Ｌ７２１〜Ｌ７２４に沿って折り込まれることにより、側端部７２０ｂが四角柱状になるように構成されている。具体的には、各折込線Ｌ７２１〜Ｌ７２４に沿って略直角に谷折りすることにより、四角柱状の側端部７２０ｂが形成される（図８及び図９参照）。
【００５６】
さらに、側端部７２０ｂには、切込線Ｃ７２１が形成されている。切込線Ｃ７２１は、折込線Ｌ７２１と壁部材７２０の外周との間に形成されている。また、側端部７２０ｂには、孔部７２８ｂが形成されている。ここで、折込線Ｌ７２１と折込線Ｌ７２２との間隔は、折込線Ｌ７２３と折込線Ｌ７２４との間隔に略等しい。同様に、折込線Ｌ７２２と折込線Ｌ７２３との間隔は、折込線Ｌ７２４と孔部７２８ｂとの間隔に略等しい。
【００５７】
切込線Ｃ７２１に沿って切込みを入れた状態で、折込線Ｌ７２１〜Ｌ７２４に沿って側端部７２０ｂを折り込むことにより、爪部７２４ｂが形成される。組立時、爪部７２４ｂは、孔部７２８ｂ、及び壁部材７１０の孔部７１８ａに挿入される。これにより、組立後の組立式ハウス２において、側端部７２０ｂの四角柱形状が維持されるとともに、壁部材７１０の側端部７１０ａと壁部材７２０の側端部７２０ｂとが互いに連結される。
【００５８】
組立式ハウス２の効果を説明する。組立式ハウス２においては、壁部材６０が互いに連結可能な２枚の壁部材６１０，６２０によって構成されるとともに、壁部材７０が互いに連結可能な２枚の壁部材７１０，７２０によって構成されている。これにより、空間Ｓ２の奥行を大きくし、広いプライベート空間を確保することができる。
【００５９】
また、組立式ハウス２においては、壁部材６２０，７２０を取り外したり、取り付けたりすることにより、空間Ｓ２の広さを変えることが可能である。壁部材６２０，７２０を取り外した場合は、壁部材６１０の爪部６１４ｂを壁部材３０の孔部３８ａに挿入するとともに、壁部材６１０の孔部６１８ｂに壁部材３０の爪部３６ａを挿入すればよい。また、壁部材７１０の爪部７１４ａを壁部材３０の孔部３８ｂに挿入するとともに、壁部材７１０の孔部７１８ａに壁部材３０の爪部３６ｂを挿入すればよい。
【００６０】
さらに、壁部材６２０の側端部６２０ａを折込線Ｌ６２１〜Ｌ６２４に沿って折り込むことにより、四角柱状にすることができる。かかる側端部６２０ａは、支柱として機能し、組立後の組立式ハウス２の強度を高める。また、壁部材７２０の側端部７２０ｂを折込線Ｌ７２１〜Ｌ７２４に沿って折り込むことにより、四角柱状にすることができる。かかる側端部７２０ｂも、支柱として機能し、組立後の組立式ハウス２の強度を高める。組立式ハウス２のその他の効果は、組立式ハウス１と同様である。なお、組立式ハウス２においても、組立式ハウス１と同様、空間Ｓ２を上方から覆う屋根部材を設けてもよい。
【００６１】
本発明による組立式ハウスは、上記実施形態に限定されるものではなく、様々な変形が可能である。例えば、第１実施形態においては４本の支柱（側端部１０ａ，１０ｂ，３０ａ，３０ｂ）が設けられた場合、第２実施形態においては６本の支柱（側端部１０ａ，１０ｂ，３０ａ，３０ｂ，６２０ａ，７２０ｂ）が設けられた場合を示した。しかし、支柱の本数は、１以上の任意の数とすることができる。
【００６２】
上記実施形態においては、支柱が四角柱状である場合を例示した。しかし、支柱は、一般に、ｎ角柱（ｎは３以上の整数）とすることができる。上記実施形態は、ｎ＝４の場合である。
【００６３】
上記実施形態においては、壁部材１０に扉（扉１２）が設けられた場合を例示した。しかし、扉は、壁部材１０以外の壁部材に設けてもよい。
【００６４】
上記実施形態においては、壁部材どうしを固定する構造として、爪部を孔部に挿入する構造を例示した。かかる固定をより強固なものにするために、図１４に示すように、切込８２ａの入ったストッパー部材８２を用いてもよい。詳細には、爪部８４にも切込８４ａを入れておき、孔部８６から突出した爪部８４の切込８４ａに対し、ストッパー部材８２の切込８２ａを係合させることにより、爪部８４が孔部８６から抜けるのを防ぐことができる。ただし、壁部材どうしの固定には、その他の手段（例えばガムテープによる貼り合わせ）を用いてもよい。
【００６５】
また、本発明による組立式ハウスは、避難所におけるプライベート空間の確保以外の用途にも適用できることは、言うまでもない。例えば、本発明による組立式ハウスは、子供の遊戯スペースに用いてもよいし、路上生活者の居住スペースに用いてもよい。
【符号の説明】
【００６６】
１  組立式ハウス
２  組立式ハウス
１０  壁部材（第１の板状部材）
１０ａ  側端部（第１の側端部）
１０ｂ  側端部（第２の側端部）
１２  扉
１４ａ，１４ｂ  爪部
１６ａ，１６ｂ  爪部
１８ａ，１８ｂ  孔部
２０  壁部材（第２の板状部材）
２０ａ  側端部（第１の側端部）
２０ｂ  側端部（第２の側端部）
２４ａ，２４ｂ  爪部
２８ａ，２８ｂ  孔部
３０  壁部材（第３の板状部材）
３０ａ  側端部（第１の側端部）
３０ｂ  側端部（第２の側端部）
３４ａ，３４ｂ  爪部
３６ａ，３６ｂ  爪部
３８ａ，３８ｂ  孔部
４０  壁部材（第４の板状部材）
４０ａ  側端部（第１の側端部）
４０ｂ  側端部（第２の側端部）
４４ａ，４４ｂ  爪部
４８ａ，４８ｂ  孔部
５０  屋根部材
５２ａ，５２ｂ，５２ｃ，５２ｄ  切込
６０  壁部材（第２の板状部材）
６１０  壁部材（板状副部材）
６１０ａ，６１０ｂ  側端部
６１４ａ，６１４ｂ  爪部
６１８ａ，６１８ｂ  孔部
６２０  壁部材（板状副部材）
６２０ａ，６２０ｂ  側端部
６２４ａ，６２４ｂ  爪部
６２８ａ，６２８ｂ  孔部
７０  壁部材（第４の板状部材）
７１０  壁部材（板状副部材）
７１０ａ，７１０ｂ  側端部
７１４ａ，７１４ｂ  爪部
７１８ａ，７１８ｂ  孔部
７２０  壁部材（板状副部材）
７２０ａ，７２０ｂ  側端部
７２４ａ，７２４ｂ  爪部
７２８ａ，７２８ｂ  孔部
８２  ストッパー部材
８２ａ  切込
８４  爪部
８４ａ  切込
８６  孔部
【図１】
2015055136.tif 000003
【図２】
2015055136.tif 000004
【図３】
2015055136.tif 000005
【図４】
2015055136.tif 000006
【図５】
2015055136.tif 000007
【図６】
2015055136.tif 000008
【図７】
2015055136.tif 000009
【図８】
2015055136.tif 000010
【図９】
2015055136.tif 000011
【図１０】
2015055136.tif 000012
【図１１】
2015055136.tif 000013
【図１２】
2015055136.tif 000014
【図１３】
2015055136.tif 000015
【図１４】
2015055136.tif 000016